(57)【要約】【課題】洗浄槽２と、洗浄槽に水を供給する給水路３に介設した常閉型電磁弁から成る給水弁４と、洗浄槽内の水を排水するポンプ７とを備える食器洗浄機において、食器洗浄機への給電が停止されても、給水弁の止水不良による漏水事故を水の浪費を生ずることなく防止できるようにする。【解決手段】給水路３に給水弁４と直列に常開型電磁弁１１と水流発電機１２とが介設される。水流発電機１２で発電された電力をバッテリ１３に蓄電し、食器洗浄機への給電が停止されたときに、バッテリ１３から常開型電磁弁１１に通電して、常開型電磁弁１１を閉弁させる。尚、排水路９に水流発電機を介設し、或いは、ポンプ７に、ポンプ作動時の振動で発電する振動発電機を付設してもよい。【選択図】図１
2010268908.tif 000002
【特許請求の範囲】
【請求項１】
食器類を収納する洗浄槽と、洗浄槽に水を供給する給水路に介設した常閉型電磁弁から成る給水弁と、洗浄槽内の水を排水するポンプとを備える食器洗浄機において、
給水路に給水弁と直列に常開型電磁弁と水流発電機とを介設し、
水流発電機で発電された電力をバッテリに蓄電し、食器洗浄機への給電が停止されたときに、バッテリから常開型電磁弁に通電して、当該常開型電磁弁を閉弁させることを特徴とする食器洗浄機。
【請求項２】
食器類を収納する洗浄槽と、洗浄槽に水を供給する給水路に介設した常閉型電磁弁から成る給水弁と、洗浄槽内の水を排水するポンプとを備える食器洗浄機において、
給水路に給水弁と直列に常開型電磁弁を介設すると共に、ポンプに連なる排水路に水流発電機を介設し、
水流発電機で発電された電力をバッテリに蓄電し、食器洗浄機への給電が停止されたときに、バッテリから常開型電磁弁に通電して、当該常開型電磁弁を閉弁させることを特徴とする食器洗浄機。
【請求項３】
食器類を収納する洗浄槽と、洗浄槽に水を供給する給水路に介設した常閉型電磁弁から成る給水弁と、洗浄槽内の水を排水するポンプとを備える食器洗浄機において、
給水路に給水弁と直列に常開型電磁弁を介設すると共に、ポンプに、ポンプ作動時の振動で発電する振動発電機を付設し、
振動発電機で発電された電力をバッテリに蓄電し、食器洗浄機への給電が停止されたときに、バッテリから常開型電磁弁に通電して、当該常開型電磁弁を閉弁させることを特徴とする食器洗浄機。
【発明の詳細な説明】
【技術分野】
【０００１】
本発明は、食器類を収納する洗浄槽と、洗浄槽に水を供給する給水路に介設した常閉型電磁弁から成る給水弁と、洗浄槽内の水を排水するポンプとを備える食器洗浄機に関する。
【背景技術】
【０００２】
この種の食器洗浄機においては、給水弁でのごみ噛み等による止水不良を生ずると、運転停止後も洗浄槽に給水され続けてしまう。そのため、運転停止後に、洗浄槽内の水位が所定レベル以上になったときは、ポンプを作動させて洗浄槽内の水を排水し、洗浄槽から水が溢れ出ないようにしている。然し、家屋の配電盤のブレーカを切る等して食器洗浄機への給電が停止されると、ポンプを作動できなくなり、洗浄槽から水が溢れ出る漏水事故が発生してしまう。
【０００３】
そこで、従来、特許文献１により、給水弁の下流側の給水路の部分に、ポンプに連なる排水路に接続される分岐部を設けて、この分岐部に給水弁を通過した水を洗浄槽と排水路との一方に選択的に流す三方弁を取付け、食器洗浄機への給電が停止されたときに、三方弁を排水路側に切り替えるようにしたものが知られている。
【０００４】
これによれば、給電が停止されても、給水弁の止水不良で通水する水は排水路に流れ、漏水事故を防止することができる。然し、このものでは、給水弁の止水不良で水が流れ続けるため、水の浪費になる。
【先行技術文献】
【特許文献】
【０００５】
【特許文献１】特開２００８−１３６６９８号公報
【発明の概要】
【発明が解決しようとする課題】
【０００６】
本発明は、以上の点に鑑み、給電が停止されても、給水弁の止水不良による漏水事故を水の浪費を生ずることなく防止できるようにした食器洗浄機を提供することをその課題としている。
【課題を解決するための手段】
【０００７】
本発明は、食器類を収納する洗浄槽と、洗浄槽に水を供給する給水路に介設した常閉型電磁弁から成る給水弁と、洗浄槽内の水を排水するポンプとを備える食器洗浄機において、上記課題を解決するために、以下の如く改良したことを特徴とする。
【０００８】
即ち、本発明の第１の態様は、給水路に給水弁と直列に常開型電磁弁と水流発電機とを介設し、水流発電機で発電された電力をバッテリに蓄電し、食器洗浄機への給電が停止されたときに、バッテリから常開型電磁弁に通電して、当該常開型電磁弁を閉弁させることを特徴とする。
【０００９】
また、本発明の第２の態様は、給水路に給水弁と直列に常開型電磁弁を介設すると共に、ポンプに連なる排水路に水流発電機を介設し、水流発電機で発電された電力をバッテリに蓄電し、食器洗浄機への給電が停止されたときに、バッテリから常開型電磁弁に通電して、当該常開型電磁弁を閉弁させることを特徴とする。
【００１０】
また、本発明の第３の態様は、給水路に給水弁と直列に常開型電磁弁を介設すると共に、ポンプに、ポンプ作動時の振動で発電する振動発電機を付設し、振動発電機で発電された電力をバッテリに蓄電し、食器洗浄機への給電が停止されたときに、バッテリから常開型電磁弁に通電して、当該常開型電磁弁を閉弁させることを特徴とする。
【００１１】
本発明の第１の態様によれば、洗浄槽への給水時や給水弁の止水不良による通水時に水流発電機により発電された電力を利用して、給電停止時に常開型電磁弁を閉弁させることができる。また、本発明の第２と第３の態様によれば、洗浄運転後やすすぎ運転後の排水運転時、更には、給水弁の止水不良を生じたときの排水時に水流発電機又は振動発電機により発電された電力を利用して、給電停止時に常開型電磁弁を閉弁させることができる。そのため、食器洗浄機への給電が停止されても、給水弁の止水不良による通水を常開型電磁弁の閉弁で遮断して、漏水事故及び水の浪費を防止できる。
【００１２】
また、本発明の第１の態様によれば、給電停止状態が長時間継続し、バッテリ電圧が常開型電磁弁を閉弁状態に維持するのに必要な電圧以下になって、常開型電磁弁が一旦開弁しても、給水弁の止水不良を生じているときは水流発電機による発電が行われ、常開型電磁弁が再度閉弁される。従って、給電停止状態が長時間継続しても、漏水事故を防止できる。
【００１３】
尚、給水路に給水弁と直列に常閉型電磁弁から成る第２の給水弁を介設することも考えられるが、これでは、給水時に給水弁に加えて第２の給水弁にも通電することが必要になり、電力消費量が増す。これに対し、本発明よれば、給水弁に直列の弁が常開型電磁弁であるため、給水時に給水弁のみに通電すればよく、省エネルギー化を図ることができる。また、上述した発電機を設けずに、食器洗浄機に給電されているときに、電源からの電力をバッテリに蓄電することも考えられるが、これでは電力消費量が増す。これに対し、本発明によれば電源からの電力を消費せずにバッテリに蓄電でき、一層の省エネルギー化を図ることができる。
【図面の簡単な説明】
【００１４】
【図１】本発明の第１実施形態の食器洗浄機の模式的断面図。
【図２】本発明の第２実施形態の食器洗浄機の模式的断面図。
【図３】本発明の第３実施形態の食器洗浄機の模式的断面図。
【発明を実施するための形態】
【００１５】
図１は食器洗浄機を示している。この食器洗浄機は、外装ケース１と、外装ケース１内の洗浄槽２とを備えており、この洗浄槽２内に給水路３を介して水が供給される。給水路３には、常閉型電磁弁から成る給水弁４が介設されている。
【００１６】
洗浄槽２には、食器類Ｗを載置する食器カゴ２ａと、食器カゴ２ａに向けて洗浄水を噴射する洗浄ノズル５と、ヒータ６とが設けられている。また、洗浄槽１の下側には、洗浄槽２の底部に残菜フィルタ２ｂを介して接続される洗浄・排水ポンプ７が設けられ、更に、洗浄槽１内の水位が所定レベルになったときにオンする水位スイッチ８が設けられている。
【００１７】
ここで、洗浄・排水ポンプ７はモータ７ａにより正逆転自在である。そして、洗浄・排水ポンプ７を正転させると、洗浄水が洗浄ノズル５を介して洗浄槽２内に循環され、洗浄・排水ポンプ７を逆転させると、洗浄槽２内の洗浄水が排水路９を介して排水される。排水路９には、逆流防止のための逆Ｕ字状の立上り部９ａと、エア抜き部９ｂと、排水トラップ部９ｃと、逆止弁９ｄとが設けられている。また、外装ケース１内には、洗浄槽２内に乾燥用の空気を送風する乾燥ファン１０が設けられている。
【００１８】
食器洗浄機の運転スイッチをオンすると、先ず、給水弁４が開弁されて、洗浄槽２に給水され、この水に図外の洗剤供給手段から洗剤が混入されて洗浄水が生成される。そして、洗浄槽２内の水位が所定レベルに達して水位スイッチ８がオンしたとき、給水弁４を閉弁させて、給水を停止する。その後、ヒータ６に通電すると共に洗浄・排水ポンプ７を正転させて、洗浄水を加熱しつつ洗浄ノズル５から噴射させ、所定時間の洗浄運転を行う。洗浄運転完了後は、洗浄・排水ポンプ７を逆転させて洗浄槽２内の洗浄水を排水する。次に、給水弁４を開弁させて、洗浄槽２に水位スイッチ７がオンするまで給水した後、洗浄・排水ポンプ７を正転させて洗浄ノズル５から水を噴射させ、所定時間のすすぎ運転を行う。すすぎ運転完了後は、洗浄・排水ポンプ７を逆転させて洗浄槽２内の水を排水し、次に、ヒータ６に通電すると共に乾燥ファン１０を作動させて、所定時間の乾燥運転を行う。
【００１９】
ここで、給水弁４でのごみ噛み等による止水不良を生ずると、食器洗浄機の運転停止後も洗浄槽２に給水され続けてしまう。そのため、食器洗浄機の運転停止後に、洗浄槽２内の水位が所定レベルに達して水位スイッチ８がオンしたときは、エラー表示を行うと共に、洗浄・排水ポンプ７を逆転させて洗浄槽２内の水を排水するようにしている。また、エラー表示が行われたときは、食器洗浄機の電源スイッチをオフしても、このオフ操作を受け付けずに、洗浄・排水ポンプ７を継続して作動できるようにしている。然し、家屋の配電盤のブレーカを切ったり、コンセントを抜く等して食器洗浄機への給電が停止されると、洗浄・排水ポンプ７を作動できなくなり、洗浄槽２から水が溢れ出る漏水事故が発生してしまう。
【００２０】
そこで、本実施形態では、給水路３に給水弁４と直列に常開型電磁弁１１と水流発電機１２とを介設している。水流発電機１２は、給水路３に水が流れるときに水流で回転する回転子を有し、回転子の回転で発電するものである。尚、本実施形態では、給水弁４の下流側の給水路３の部分に常開型電磁弁１１と水流発電機１２とを介設しているが、常開型電磁弁１１と水流発電機１２の介設位置は給水弁４の上流側であってもよい。
【００２１】
また、水流発電機１２で発電された電力を蓄電するバッテリ１３を備えている。そして、バッテリ１３を、ノーマルクローズのリレー接点１４を介して常開型電磁弁１１のソレノイドコイルに接続している。リレー接点１４は、食器洗浄機への給電が停止されたときに閉成される。
【００２２】
以上の構成によれば、洗浄槽２への給水時や給水弁４の止水不良による通水時に水流発電機１２による発電が行われ、発電した電力がバッテリ１３に蓄電される。そして、食器洗浄機への給電が停止されたときに、バッテリ１３から常開型電磁弁１１に通電されて、常開型電磁弁１１が閉弁される。そのため、食器洗浄機への給電が停止されても、給水弁４の止水不良による通水を常開型電磁弁１１の閉弁で遮断して、漏水事故及び水の浪費を防止できる。
【００２３】
尚、給電停止状態が長時間継続すると、バッテリ電圧が常開型電磁弁１１を閉弁状態に維持するのに必要な電圧以下になって、常開型電磁弁１１が開弁する。そして、給水弁４の止水不良を生じていると、洗浄槽２に水が流入してしまう。然し、常開型電磁弁１１が一旦開弁しても、給水弁４の止水不良による通水で水流発電機１２による発電が行われ、常開型電磁弁１１が再度閉弁される。従って、給電停止状態が長時間継続しても、漏水事故を防止できる。
【００２４】
次に、図２に示す第２実施形態について説明する。第２実施形態の基本構造は上記第１実施形態と同様であり、第１実施形態と同様の部材に上記と同一の符号を付している。第２実施形態の第１実施形態との相違点は、水流発電機１２を給水路３ではなく排水路９に介設したことである。
【００２５】
水流発電機１２で発電した電力は、第１実施形態と同様にバッテリ１３に蓄電される。そして、バッテリ１３をノーマルクローズのリレー接点１４を介して常開型電磁弁１１のソレノイドコイルに接続している。
【００２６】
第２実施形態によれば、洗浄運転後やすすぎ運転後の排水運転時、更には、給水弁４の止水不良を生じたときの排水時に、水流発電機１２による発電が行われ、発電した電力がバッテリ１３に蓄電される。そして、食器洗浄機への給電が停止されたときに、バッテリ１３から常開型電磁弁１１に通電されて、常開型電磁弁１１が閉弁される。そのため、食器洗浄機への給電が停止されても、給水弁４の止水不良による通水を常開型電磁弁１１の閉弁で遮断して、漏水事故及び水の浪費を防止できる。
【００２７】
次に、図３に示す第３実施形態について説明する。第３実施形態の基本構造も上記第１、第２実施形態と同様であり、第１、第２実施形態と同様の部材に上記と同一の符号を付している。第３実施形態の第１、第２実施形態との相違点は、水流発電機１２を用いずに、洗浄・排水ポンプ７にポンプ作動時の振動で発電する振動発電機１２´を付設したことである。振動発電機１２´は、圧電素子と圧電素子に振動を伝える振動板とで構成される公知のものであり（特開２００６−１６６６９４号公報等参照）、その詳細な説明は省略する。
【００２８】
振動発電機１２´で発電した電力は、上記実施形態と同様にバッテリ１３に蓄電される。そして、バッテリ１３をノーマルクローズのリレー接点１４を介して常開型電磁弁１１のソレノイドコイルに接続している。
【００２９】
第３実施形態によれば、洗浄運転時、すすぎ運転時、洗浄運転後やすすぎ運転後の排水運転時、給水弁４の止水不良を生じたときの排水時といった洗浄・排水ポンプ７の作動時に、振動発電機１２´による発電が行われ、発電した電力がバッテリ１３に蓄電される。そして、食器洗浄機への給電が停止されたときに、バッテリ１３から常開型電磁弁１１に通電されて、常開型電磁弁１１が閉弁される。そのため、食器洗浄機への給電が停止されても、給水弁４の止水不良による通水を常開型電磁弁１１の閉弁で遮断して、漏水事故及び水の浪費を防止できる。
【００３０】
ところで、給水路３に、常開型電磁弁１１に代えて、給水弁４と直列に常閉型電磁弁から成る第２の給水弁を介設することも考えられる。然し、これでは、給水時に給水弁４に加えて第２の給水弁にも通電することが必要になり、電力消費量が増す。これに対し、上記実施形態のように常開型電磁弁１１を用いれば、給水時に給水弁４のみに通電すればよく、省エネルギー化を図ることができる。
【００３１】
また、上記発電機１２，１２´を設けずに、食器洗浄機に給電されているときに、電源からの電力をバッテリ１３に蓄電することも考えられるが、これでは電力消費量が増す。これに対し、上記実施形態によれば、電源からの電力を消費せずにバッテリ１３に蓄電でき、一層の省エネルギー化を図ることができる。
【００３２】
以上、本発明の実施形態について図面を参照して説明したが、本発明はこれに限定されない。例えば、食器洗浄機への給電が停止されたときだけでなく、食器洗浄機の電源スイッチをオフしたときや（食器洗浄機の内蔵電装品への給電が停止されるだけで、食器洗浄機への給電は継続する）、給水弁４の止水不良を生じたときに、常開型電磁弁１１に通電するようにしてもよい。また、上記実施形態では、洗浄・排水ポンプ７を設けているが、洗浄用と排水用の各別のポンプを設けることも可能である。そして、振動発電機１２´を用いる場合は、排水ポンプに振動発電機１２´を付設し、給水弁４の止水不良を生じたときの排水時にバッテリ１３に蓄電できるようにする。
【符号の説明】
【００３３】
２…洗浄槽、３…給水路、４…給水弁、７…洗浄・排水ポンプ、９…排水路、１１…常開型電磁弁、１２…水流発電機、１２´…振動発電機、１３…バッテリ。
【図１】
2010268908.tif 000003
【図２】
2010268908.tif 000004
【図３】
2010268908.tif 000005